(57)【要約】【課題】番組の種類に応じて解析の精度を変更することで、精度を落とさない範囲内で解析に必要な時間を最小限度に留めることができる放送受信機を提供する。【解決手段】デジタル音声放送の番組を受信する第１の受信回路１と、アナログ音声放送の番組を受信する第２の受信回路２と、制御部３と、第１の受信回路１と、第２の受信回路と、のどちらか一方の出力信号を出力する切替え手段４と、第１の受信回路１と、第２の受信回路と、の出力信号の時間差を解析する時間差解析手段５と、時間差解析手段５が検出した時間差によって、第２の受信回路の出力信号を遅延させる時間差制御手段６と、第１の受信回路１が受信している番組の種類を取得する番組内容取得手段７と、を備え、時間差解析手段７は、解析精度を変更して時間差解析動作することが可能であり、制御部３は、番組内容取得手段７が取得した番組内容に応じて、時間差解析手段５の解析精度を変更する。【選択図】図１
2015056798.tif 000002
【特許請求の範囲】
【請求項１】
デジタル音声放送の番組を受信する第１の受信回路と、
アナログ音声放送の番組を受信する第２の受信回路と、
前記第２の受信回路が受信する番組が、前記第１の受信回路が受信している番組と同一となるように選局制御する制御部と、
前記第１の受信回路が出力する第１の音声信号と、前記第２の受信回路が出力する第２の音声信号とのどちらか一方、または双方を混合して出力する切替え手段と、
前記第１の音声信号と、前記第２の音声信号との時間のずれを解析する時間差解析手段と、
前記時間差解析手段が検出した時間差によって、前記第２の音声信号を遅延させる時間差制御手段と、
前記第１の受信回路が受信している番組の種類を取得する番組内容取得手段と、を備え、
前記時間差解析手段は、解析精度を変更して時間差解析動作することが可能であり、
前記制御部は、前記番組内容取得手段が取得した番組内容に応じて、前記時間差解析手段の前記解析精度を変更して時間差解析することを特徴とする放送受信機。
【請求項２】
前記デジタル音声放送は、Ｄｉｇｉｔａｌ  Ａｕｄｉｏ  Ｂｒｏａｄｃａｓｔｉｎｇ（ＤＡＢ）であり、
前記番組内容取得手段は、前記デジタル音声放送に含まれるＰｒｏｇｒａｍｍｅ  Ｔｙｐｅ（ＰＴｙ）を調べることを特徴とする請求項１に記載の放送受信機。
【発明の詳細な説明】
【技術分野】
【０００１】
本発明は、デジタル音声放送、及びアナログ音声放送の受信が可能な放送受信装置に関し、特に、サイマルキャスト中の番組を受信中に受信状態に応じて、デジタル音声放送とアナログ音声放送との切替えを行う放送受信機に関する。
【背景技術】
【０００２】
従来から、デジタル音声放送とアナログ音声放送とで同一番組を同時放送する、いわゆるサイマルキャストが行われている。例えばヨーロッパでは、Ｄｉｇｉｔａｌ  Ａｕｄｉｏ  Ｂｒｏａｄｃａｓｔｉｎｇ（以下ＤＡＢと記す）と称されるデジタル音声放送と、ＦＭあるいはＲａｄｉｏ  Ｄａｔａ  Ｓｙｓｔｅｍ（以下ＲＤＳと記す）と称されるアナログ音声放送によるサイマルキャストが行われている。
【０００３】
このような音声放送を受信する放送受信機では、サイマルキャスト中の番組の放送を受信している場合に、デジタル音声放送のサービスエリア内ではデジタル音声放送の番組を優先的に自動選択する。また、自動車等での移動等に伴ってデジタル音声放送のサービスエリアからサービスエリアの外へ出た場合には、アナログ音声放送の番組を受信するように自動切替えを行うなど、受信状態に応じて切替えを行うことが行われている。
【０００４】
従来技術の放送受信機としては、下記の特許文献１に記載の放送受信機が知られている。
【０００５】
特許文献１に記載の放送受信機９００は、図５に示すように、第１の受信手段９０１と、第２の受信手段９０２と、出力手段９０３と、切換手段９０４と、遅延手段９０５と、時間差検出手段９０６と、を有している。
【０００６】
第１の受信手段９０１は、第１の放送信号を受信する。また、第２の受信手段９０２は、第１の放送信号と同一内容の第２の放送信号を受信する。出力手段９０３は、第１の受信手段９０１の受信信号または第２の受信手段９０２の受信信号を出力する。切換手段９０４は、出力手段９０３から出力される受信信号を、第１の受信手段９０１の受信信号から第２の受信手段９０２の受信信号に、または、第２の受信手段９０２の受信信号から第１の受信手段９０１の受信信号に切替える。遅延手段９０５は、第１の受信手段９０１の受信信号または第２の受信手段９０２の受信信号を、第１の受信手段９０１の受信信号と第２の受信手段９０２の受信信号との時間差分の遅延時間で遅延させ、時間差を０にする。時間差検出手段９０６は、第１の受信手段９０１の受信信号と第２の受信手段９０２の受信信号との間の時間差を検出する。
【０００７】
切換手段９０４は、時間差検出手段９０６で検出された第１の受信手段９０１の受信信号と第２の受信手段９０２の受信信号との時間差が、遅延手段９０５によって０になっている状態で、受信信号の切替えを行う。
【０００８】
時間差（遅延時間）の検出は、受信しているデジタル放送と同一内容の別の放送とを、ある一定時間において互いの相関を取ることによって、時間差（遅延時間）を検出する技術が開示されている。
【先行技術文献】
【特許文献】
【０００９】
【特許文献１】特開平１１‐５５１３５号公報
【発明の概要】
【発明が解決しようとする課題】
【００１０】
しかしながら、上述した従来技術の放送受信機では、デジタル音声放送の受信信号とアナログ音声放送の受信信号では、得られる音質も異なるため、単純に比較を行って時間差を求めた場合には、誤差を生じてしまい切替えのタイミングがずれてしまう虞があった。また、誤差によるタイミングのずれを低減するためには、比較回数を増やすことなどが考えられるが、演算量の増大による処理時間が長くなってしまう虞があると言う課題があった。
【００１１】
本発明は、上述した課題を解決するもので、番組の種類に応じて解析の精度を変更することで、精度を落とさない範囲内で解析に必要な時間を最小限度に留めることができる放送受信機を提供することを目的とする。
【課題を解決するための手段】
【００１２】
この課題を解決するために、本発明の放送受信機は、デジタル音声放送の番組を受信する第１の受信回路と、アナログ音声放送の番組を受信する第２の受信回路と、前記第２の受信回路が受信する番組が、前記第１の受信回路が受信している番組と同一となるように選局制御する制御部と、前記第１の受信回路が出力する第１の音声信号と、前記第２の受信回路が出力する第２の音声信号とのどちらか一方、または双方を混合して出力する切替え手段と、前記第１の音声信号と、前記第２の音声信号との時間のずれを解析する時間差解析手段と、前記時間差解析手段が検出した時間差によって、前記第２の音声信号を遅延させる時間差制御手段と、前記第１の受信回路が受信している番組の種類を取得する番組内容取得手段と、を備え、前記時間差解析手段は、解析精度を変更して時間差解析動作することが可能であり、前記制御部は、前記番組内容取得手段が取得した番組内容に応じて、前記時間差解析手段の前記解析精度を変更して時間差解析することを特徴とする。
【００１３】
これによれば、番組の種類に応じて時間差解析の精度を変更することで、精度を落とさない範囲内で解析に必要な時間を最小限度に留めることができる放送受信機を提供することができる。
【００１４】
また、本発明の放送受信機では、前記デジタル音声放送は、Ｄｉｇｉｔａｌ  Ａｕｄｉｏ  Ｂｒｏａｄｃａｓｔｉｎｇ（ＤＡＢ）であり、前記番組内容取得手段は、前記デジタル音声放送に含まれるＰｒｏｇｒａｍｍｅ  Ｔｙｐｅ（ＰＴｙ）を調べることを特徴とする。
【００１５】
これによれば、ＤＡＢ方式の放送信号に含まれるＰｒｏｇｒａｍｍｅ  Ｔｙｐｅ（以下ＰＴｙと記す）を調べることで、番組の種類を簡単かつ的確に調べることができる。
【発明の効果】
【００１６】
本発明によれば、番組の種類に応じて解析の精度を変更することで、精度を落とさない範囲内で解析に必要な時間を最小限度に留めることができる放送受信機を提供することができる。
【図面の簡単な説明】
【００１７】
【図１】本発明の実施形態に係る放送受信機の構成を示すブロック図である。
【図２】ＤＡＢ方式の放送信号のデータ内容を説明する図である。
【図３】ＰＴｙと解析の精度の関係を示すデータテーブルの例を示す図である。
【図４】本実施形態に係る放送受信機の動作を説明するフローチャートである。
【図５】従来技術の放送受信機の構成を示すブロック図である。
【発明を実施するための形態】
【００１８】
［第１実施形態］
以下に第１実施形態における放送受信機１００について説明する。
【００１９】
まず始めに本実施形態における放送受信機１００の構成について図１を用いて説明する。図１は放送受信機１００の構成を示すブロック図である。
【００２０】
放送受信機１００は、図１に示すように、第１の受信回路１と、第２の受信回路２と、制御部３と、切替え手段４と、時間差解析手段５と、時間差制御手段６と、番組内容取得手段７と、を備えている。
【００２１】
第１の受信回路１は、第１選局部１ａと復号部１ｂとを有しており、制御部３に接続されている。第１選局部１ａの出力は、復号部１ｂと番組内容取得手段７とに接続され、復号部１ｂの出力は、切替え手段４と時間差解析手段５に接続されている。第１選局部１ａは制御部３の制御に従って、ＤＡＢ方式のデジタル音声放送の番組を選局し受信する。復号部１ｂは、受信した信号をデジタル信号である第１の音声信号に変換し、出力信号として切替え手段４に出力する。また、第１の受信回路１は受信信号の電界強度を示すＲＳＳＩ（Ｒｅｃｅｉｖｅｄ  Ｓｉｇｎａｌ  Ｓｔｒｅｎｇｔｈ  Ｉｎｄｉｃａｔｉｏｎ）信号やＢＥＲ（Ｂｉｔ  Ｅｒｒｏｒ  Ｒａｔｅ）等、受信状態を示す信号を制御部３に出力する。
【００２２】
第２の受信回路２は、第２選局部２ａと変換部２ｂとを有しており、制御部３に接続されている。また、変換部２ｂの出力は、時間差解析手段５と時間差制御手段６に接続されている。第２選局部２ａは制御部３の制御に従って、アナログ音声放送の番組を選局し受信する。変換部２ｂは、選局によって受信した信号をデジタル信号である第２の音声信号に変換し、出力信号として時間差制御手段６に出力する。また、第２の受信回路２は受信信号の電界強度を示すＲＳＳＩ信号等、受信状態を示す信号を制御部３に出力する。
【００２３】
時間差制御手段６は、メモリと称される記憶回路で構成され、第２の受信回路２と、切替え手段４と、制御部３とに接続されている。時間差制御手段６は制御部３の制御によって、第２の受信回路２から供給される第２の音声信号を順次取込む。また、制御部３の制御によって、取込んだ第２の音声信号を取込んだのと同じ順に切替え手段４へ順次出力する。時間差制御手段６が第２の音声信号を取込んでから出力し始めるまでの時間が、第２の音声信号遅延させる遅延時間となる。
【００２４】
切替え手段４は、第１の受信回路１の復号部１ｂの出力と、時間差制御手段６と、制御部３と、に接続されている。切替え手段４は制御部３の制御によって、第１の受信回路１の復号部１ｂから出力される第１の音声信号と時間差制御手段６を経た第２の受信回路２からの出力信号である第２の音声信号と、のどちらか一方に切替えて出力する。なお、切替えの途中段階では、双方の音声信号を混合して出力することも可能なように構成されている。
【００２５】
時間差解析手段５は、第１の受信回路１の復号部１ｂの出力と、第２の受信回路２の変換部２ｂの出力と、に接続されている。時間差解析手段５は、制御部３の制御によって解析精度を変更して時間差解析することが可能に構成されている。時間差解析手段５は、制御部３の制御によって、第１の受信回路１の復号部１ｂから出力される第１の音声信号と第２の受信回路２からの出力信号である第２の音声信号との相関から、第１の音声信号と第２の音声信号との時間のずれを解析する。また、時間差解析手段５は、解析結果を制御部３に出力する。
【００２６】
番組内容取得手段７は、第１の受信回路１の第１選局部１ａと制御部３と、に接続されている。番組内容取得手段７は、第１選局部１ａが選局して受信している番組の種類をデジタル音声放送の出力信号に含まれ番組内容を示すＰＴｙの情報を取得し、制御部３の制御に従って、取得した番組内容を示すＰＴｙの情報を制御部３に出力する。
【００２７】
制御部３は、第１の受信回路１と第２の受信回路２と切替え手段４と時間差解析手段５と時間差制御手段６と番組内容取得手段７と、に接続されている。制御部３は、第１の受信回路１に対してデジタル音声放送の番組を受信するように選局の制御をするとともに、第１の受信回路１から受信状態を示すＲＳＳＩ信号やＢＥＲ等の信号を取得する。また、第２の受信回路２に対して、第１の受信回路１が受信している番組と同一となるアナログ音声放送の番組を受信するように選局制御するとともに、第２の受信回路２から受信状態を示すＲＳＳＩ信号等の信号を取得する。
【００２８】
制御部３は、番組内容取得手段７を制御し、番組内容取得手段７が取得した、番組内容を示すＰＴｙの情報を取得し、取得したＰＴｙの情報を調べ、調べた結果に応じて時間差解析手段５で行う時間差解析動作の精度を決定する。また、決定した時間差解析動作の精度に基づいて時間差解析手段５を制御して時間のずれを解析し、時間差解析手段５から解析結果を取得する。
【００２９】
制御部３は、時間差解析手段５が検出した時間差に基づいて、時間差制御手段６が第２の音声信号に与える遅延時間を、時間差解析手段５が検出した時間差と同じになるように制御する。
【００３０】
制御部３は以上のように、第１の受信回路１、第２の受信回路２、切替え手段４、時間差解析手段５、時間差制御手段６及び番組内容取得手段７を制御する。また、制御部３にはタイマ機能やメモリ（図示せず）が備えられ、タイマ機能による制御間隔の管理や、取得したＲＳＳＩ信号やＢＥＲ等の信号の値、番組内容を示すＰＴｙの情報、時間差解析の結果の情報を記憶することや演算することなどができる。
【００３１】
次に、ＤＡＢ方式の放送信号について図２を用いて説明する。図２はＤＡＢ方式の放送信号のデータ内容を説明する図で、図２（ａ）は、データのフレーム構成を示す図である。図２（ｂ）は、高速情報チャネル（Ｆａｓｔ  Ｉｎｆｏｒｍａｔｉｏｎ  Ｃｈａｎｎｅｌ：以下ＦＩＣと記す）に含まれるＰＴｙの情報ＦＩＧ０／１７（Ｔｙｐｅ  ０  ｆｉｅｌｄ  ｆｏｒ  ｅｘｔｅｎｓｉｏｎ  １７）の説明図である。図２（ｃ）は、ＰＴｙの情報に含まれるＩｎｔ  ｃｏｄｅを説明する図である。
【００３２】
ＤＡＢ方式の放送信号は図２（ａ）に示すように、同期チャネル（Ｓｙｎｃ．  Ｃｈａｎｎｅｌ：図２（ａ）ではＳＹＮＣと標記）と、ＦＩＣと、ＭＳＣ（Ｍａｉｎ  Ｓｅｒｖｉｃｅ  Ｃｈａｎｎｅｌ）と、からなるフレーム構成で送信されている。
【００３３】
ＦＩＣには、選択したサービスのデータがＭＳＣのどの領域に位置するかを示す情報や、時間，日付情報，サービスの内容やタイトル等の情報が含まれている。また、図２（ｂ）に示すように、ＦＩＣに含まれるＰＴｙの情報ＦＩＧ０／１７には、ＳＩｄ、Ｓ／Ｄフラグ、Ｒｆａ、Ｒｆｕ、Ｉｎｔ  Ｃｏｄｅ、等の情報が含まれている。
【００３４】
それぞれの情報の詳細な内容の説明は割愛するが、例えばＳＩｄは、サービスを特定するサービス識別子（Ｓｅｒｖｉｃｅ  Ｉｄｅｎｔｉｆｉｅｒ）であり、またＩｎｔ  Ｃｏｄｅは、国際コードによるプログラムタイプコードである。
【００３５】
Ｉｎｔ  Ｃｏｄｅは、具体的には図２（ｃ）に示すように、５Ｂｉｔの情報に対して個々にプログラムタイプが割り振られている、従って、このＩｎｔ  Ｃｏｄｅを取得することで番組の内容を知ることができる。
【００３６】
次に、本実施形態の放送受信機１００の動作について、図２ないし図４を用いて説明する。図３はＰＴｙと解析の精度の関係を示すデータテーブルの例を示す図で、このデータテーブルを放送受信機１００の制御部３に含まれるメモリにあらかじめ記憶させておくものとして説明を進める。図４は本実施形態の放送受信機１００の動作を説明するフローチャートで、放送受信機１００の制御部３によって実行される処理手順を示している。図４のフローチャートで示された処理手順は、放送受信機１００に電源が投入された場合や、ユーザの操作や受信状況の変動などに伴って、放送を選局する場合に実行さる。
【００３７】
制御部３は、図４に示すフローチャートの手順Ｓ１で、第１の受信回路１の第１選局部１ａを制御し、ＤＡＢ方式のデジタル音声放送の番組を選局し受信する。
【００３８】
次に制御部３は手順Ｓ２で、第２の受信回路２の第２選局部２ａを制御し、アナログ音声放送の番組を選局し受信する。この場合、制御部３は番組内容取得手段７を制御し、第１の受信回路１で受信したＤＡＢ方式のデジタル音声放送のＦＩＣに含まれるＦＩ（周波数情報）から、同一内容のＦＭ放送の周波数情報を得て、このＦＭ放送の受信を行うことができる。
【００３９】
手順Ｓ３で制御部３は、番組内容取得手段７を制御し、第１の受信回路１で受信したＤＡＢ方式のデジタル音声放送のＦＩＣに含まれるＰＴｙの情報（図２（ｂ）参照）を取得し手順Ｓ４に移行する。
【００４０】
手順Ｓ４で制御部３は、手順Ｓ３で取得したＰＴｙの情報に含まれるＩｎｔ  Ｃｏｄｅを、あらかじめ記憶しているデータベース（図３参照）と照合する。照合して調べた結果、Ｔｙｐｅ”Ａ”と判別した場合には手順Ｓ５へ、Ｔｙｐｅ”Ｂ”と判別した場合には手順Ｓ６へ、またＴｙｐｅ”Ｃ”と判別した場合には手順Ｓ７へ、移行する。
【００４１】
手順Ｓ５では手順Ｓ４で、Ｔｙｐｅ”Ａ”（Ｆａｓｔ  ｍｏｄｅ）と判断されたので、制御部３は時間差解析手段５が相関解析を行う回数ＮＡの値を”５”に設定し、手順Ｓ８に移行する。
【００４２】
手順Ｓ６では手順Ｓ４で、Ｔｙｐｅ”Ｂ”（Ｍｅｄｉｕｍｅ  ｍｏｄｅ）と判断されたので、制御部３は時間差解析手段５が相関解析を行う回数ＮＡの値を”１０”に設定し、手順Ｓ８に移行する。
【００４３】
手順Ｓ７では手順Ｓ４で、Ｔｙｐｅ”Ｃ”（Ｓｔａｔｉｃ  ｍｏｄｅ）と判断されたので、制御部３は時間差解析手段５が相関解析を行う回数ＮＡの値を”１５”に設定し、手順Ｓ８に移行する。
【００４４】
手順Ｓ８で制御部３は、手順Ｓ５、手順Ｓ６、手順Ｓ７のいずれかで設定された相関解析を行う回数ＮＡの値を時間差解析手段５に対して出力し、手順Ｓ９へ移行する。
【００４５】
時間差解析手段５は、制御部３によって設定された相関解析を行う回数ＮＡの値に従って相関解析の回数を変更して時間差解析をする。このため相関解析を行う回数ＮＡの値が小さいほど解析に要する時間は短くなり解析精度は低下し、また大きいほど解析に要する時間は長くなり解析精度は向上する。
【００４６】
手順Ｓ９で制御部３は、時間差解析手段５が時間差の解析を完了するのを待って手順Ｓ１０に移行する。
【００４７】
手順Ｓ１０で制御部３は、時間差解析手段５から解析結果を取得し、手順Ｓ１１で制御部３に含まれるメモリに手順Ｓ１０で取得した時間差の解析結果を記憶する。
【００４８】
手順Ｓ１２で制御部３は、手順Ｓ１０で取得した時間差の解析結果に基づいて時間差制御手段６を制御し、手順Ｓ１３に移行する。
【００４９】
手順Ｓ１３で制御部３は、切替え手段４に対し、第１の受信回路１の復号部１ｂから出力される第１の音声信号と時間差制御手段６を経た第２の受信回路２からの出力信号である第２の音声信号と、のどちらか一方に切替えて出力するよう制御し処理を終了する。このとき、第１の受信回路１から出力されるＲＳＳＩ信号や第２の受信回路２から出力されるＲＳＳＩ信号等からより良好な受信状態が得られると判断される出力信号を選択するように制御することができる。
【００５０】
以下、本実施形態としたことによる効果について説明する。
【００５１】
本実施形態の放送受信機１００では、第１の受信回路１と、第２の受信回路２と、制御部３と、切替え手段４と、時間差解析手段５と、時間差制御手段６と、番組内容取得手段７と、を備えている。時間差解析手段５は、解析精度を変更して時間差解析動作することが可能であり、制御部３は、番組内容取得手段７が取得した番組内容に応じて、時間差解析手段５の解析精度を変更して時間差解析するように構成した。
【００５２】
このため、番組の種類に応じて時間差解析の精度を変更することで、精度を落とさない範囲内で解析に必要な時間を最小限度に留めることができる放送受信機を提供することができる。
【００５３】
また、本実施形態の放送受信機１００では、第１の受信回路１で受信するデジタル音声放送は、ＤＡＢであり、番組内容取得手段７は、デジタル音声放送に含まれるＰＴｙを取得して調べるように構成した。
【００５４】
このため、番組の種類を簡単かつ的確に調べることができる。
【００５５】
以上のように、本発明の実施形態に係る放送受信機１００について具体的に説明したが、本発明は上記の実施形態に限定されるものではなく、要旨を逸脱しない範囲で種々変更して実施することが可能である。例えば次のように変形して実施することができ、これらの実施形態も本発明の技術的範囲に属する。
【００５６】
（１）本実施形態において、ＰＴｙの情報に含まれるＩｎｔ  Ｃｏｄｅを調べ、その結果に基づいて時間差解析の精度を変更する例を示して説明を行ったが、その他の情報を使用して時間差解析の精度を変更するよう変形して実施しても良い。
【００５７】
（２）本実施形態において、時間差解析の精度を変更するために、時間差解析を行う相関回数を変更する例で説明を行ったが、相関の有無を判断するための閾値を変更するようにして実施しても良い。
【００５８】
（３）本実施形態において、制御部３で使用するデータについて具体的な数値を示して説明を行ったが、想定される使用状態に合わせ適宜値を変えて実施しても良く、固定の値で例示した数値も動作環境等の変動に応じて補正等を行うように変更して実施しても良い。
【符号の説明】
【００５９】
１      第１の受信回路
１ａ    第１選局部
１ｂ    復号部
２      第２の受信回路
２ａ    第２選局部
２ｂ    変換部
３      制御部
４      切替え手段
５      時間差解析手段
６      時間差制御手段
７      番組内容取得手段
１００  放送受信機
【図１】
2015056798.tif 000003
【図２】
2015056798.tif 000004
【図３】
2015056798.tif 000005
【図４】
2015056798.tif 000006
【図５】
2015056798.tif 000007